(57)【要約】【課題】変調方式が異なる情報記憶媒体を判別する技術を提供すること。【解決手段】媒体判別方法は、情報記憶媒体から信号を読み取り、前記読み取られた読取信号からフレーム同期を検出し、このフレーム同期及び第１の復調方式に基づき前記読取信号からデータＩＤを検出し、データＩＤの検出状況に基づき前記第１の復調方式が適切か否か判別し、前記第１の復調方式が不適切であるとの判別により前記フレーム同期及び第２の復調方式に基づき前記読取信号からデータＩＤを検出し、データＩＤの検出状況により前記第２の復調方式が適切か否か判別する。【選択図】      図８
2009289301.tif 000002
【特許請求の範囲】
【請求項１】
情報記憶媒体から信号を読み取る読取手段と、
前記読取手段により読み取られた読取信号からフレーム同期を検出し、このフレーム同期及び第１の復調方式に基づき前記読取信号からデータＩＤを検出し、データＩＤの検出状況に基づき前記第１の復調方式が適切か否か判別し、前記第１の復調方式が不適切であるとの判別により前記フレーム同期及び第２の復調方式に基づき前記読取信号からデータＩＤを検出し、データＩＤの検出状況により前記第２の復調方式が適切か否か判別する判別手段と、
前記判別手段による判別結果に基づき復調方式を決定し、決定された復調方式により情報記憶媒体に記録された信号を再生する再生手段と、
を備えたことを特徴とする媒体処理装置。
【請求項２】
前記判別手段は、
前記フレーム同期及び前記第１の復調方式に基づき前記読取信号からデータＩＤ及びデータＩＤ用のエラー検出コードを検出し、このエラー検出コードによりデータＩＤの読み取り率を検出し、データＩＤの読み取り率が基準値より高い場合には、前記第１の復調方式を適切な復調方式であると判別し、データＩＤの読み取り率が基準値以下の場合には、前記第１の復調方式を不適切な復調方式であると判別し、
前記フレーム同期及び前記第２の復調方式に基づき前記読取信号からデータＩＤ及びデータＩＤ用のエラー検出コードを検出し、このエラー検出コードによりデータＩＤの読み取り率を検出し、データＩＤの読み取り率が基準値より高い場合には、前記第２の復調方式を適切な復調方式であると判別し、データＩＤの読み取り率が基準値以下の場合には、前記第２の復調方式を不適切な復調方式であると判別する、
ことを特徴とする請求項１に記載の媒体処理装置。
【請求項３】
前記第１の復調方式は、８／１２変調方式に対応した復調方式であり、
前記第２の復調方式は、４／６変調方式に対応した復調方式であり、
前記８／１２変調方式により変調されたデータ及び４／６変調方式により変調されたデータは、共通のパターンを含み、
前記判別手段は、前記読取手段により読み取られた読取信号から前記共通のパターンを検出し、前記共通パターンの検出結果に基づきフレーム同期を検出する、
ことを特徴とする請求項１に記載の媒体処理装置。
【請求項４】
情報記憶媒体から信号を読み取る読取手段と、
前記読取手段により読み取られた読取信号からフレーム同期を検出し、このフレーム同期及び第１の復調方式に基づき前記読取信号から記録データ及び記録データ用のエラー訂正コードを検出し、このエラー訂正コードによる前記記録データのエラー訂正処理結果に基づき前記第１の復調方式が適切か否か判別し、前記第１の復調方式が不適切であるとの判別により前記フレーム同期及び第２の復調方式に基づき前記読取信号から記録データ及び記録データ用のエラー訂正コードを検出し、このエラー訂正コードによる前記記録データのエラー訂正処理結果に基づき前記第２の復調方式が適切か否か判別する判別手段と、
前記判別手段による判別結果に基づき復調方式を決定し、決定された復調方式により情報記憶媒体に記録された信号を再生する再生手段と、
を備えたことを特徴とする媒体処理装置。
【請求項５】
前記判別手段は、
前記フレーム同期及び前記第１の復調方式に基づき前記読取信号から記録データ及び記録データ用のエラー訂正コードを検出し、このエラー訂正コードにより前記記録データを復号できた場合には、前記第１の復調方式を適切な復号方式であると判別し、このエラー訂正コードにより前記記録データを復号できない場合には、前記第１の復調方式を不適切な復号方式であると判別し、
前記フレーム同期及び前記第２の復調方式に基づき前記読取信号から記録データ及び記録データ用のエラー訂正コードを検出し、このエラー訂正コードにより前記記録データを復号できた場合には、前記第２の復調方式を適切な復号方式であると判別し、このエラー訂正コードにより前記記録データを復号できない場合には、前記第２の復調方式を不適切な復号方式であると判別する、
ことを特徴とする請求項４に記載の媒体処理装置。
【請求項６】
情報記憶媒体から信号を読み取り、
前記読み取られた読取信号からフレーム同期を検出し、このフレーム同期及び第１の復調方式に基づき前記読取信号からデータＩＤを検出し、データＩＤの検出状況に基づき前記第１の復調方式が適切か否か判別し、前記第１の復調方式が不適切であるとの判別により前記フレーム同期及び第２の復調方式に基づき前記読取信号からデータＩＤを検出し、データＩＤの検出状況により前記第２の復調方式が適切か否か判別する、
ことを特徴とする媒体判別方法。
【請求項７】
情報記憶媒体から信号を読み取り、
前記読み取られた読取信号からフレーム同期を検出し、このフレーム同期及び第１の復調方式に基づき前記読取信号から記録データ及び記録データ用のエラー訂正コードを検出し、このエラー訂正コードによる前記記録データのエラー訂正処理結果に基づき前記第１の復調方式が適切か否か判別し、前記第１の復調方式が不適切であるとの判別により前記フレーム同期及び第２の復調方式に基づき前記読取信号から記録データ及び記録データ用のエラー訂正コードを検出し、このエラー訂正コードによる前記記録データのエラー訂正処理結果に基づき前記第２の復調方式が適切か否か判別する、
ことを特徴とする媒体判別方法。
【発明の詳細な説明】
【技術分野】
【０００１】
本発明は、種類の異なる光ディスク等の情報記憶媒体を判別する媒体判別技術に関する。
【背景技術】
【０００２】
既に、標準画質に対応して策定されたＤＶＤ規格（第１世代のＤＶＤ規格）に準拠した各種製品が大いに普及している。これに対して、ここ数年の画像圧縮技術の向上に伴って、ユーザー及びコンテンツ供給者の両者からさらなる高画質の実現を望む声が挙がり、また、上記高画質の実現以外にも、タイトル本編も含めメニュー画面や特典映像等のコンテンツにおいて、より色彩に富んだメニューやインタラクティブ性の向上等、コンテンツ内容の拡充によるユーザーへのより魅力的なコンテンツの提供環境がコンテンツ供給者から望まれ、このような要望から、より魅力的なコンテンツの提供を実現するために、ＨＤ ＤＶＤ規格（第２世代のＤＶＤ規格）が策定された。
【０００３】
これにより、ＣＤ、ＤＶＤ、ＨＤ ＤＶＤといった様々な種類の光ディスクが市場に普及している。ＣＤには、例えば、ＣＤ−Ｒ（Recordable）、ＣＤ−ＲＯＭ（Read Only Memory）、及びＣＤ−ＲＷ（ReWritable）等がある。ＤＶＤには、例えば、ＤＶＤ−ＲＯＭ（Digital Versatile Disk Read Only Memory）、ＤＶＤ−ＲＡＭ、ＤＶＤ−ＲＷ、及びＤＶＤ＋ＲＷ等がある。
【０００４】
光ディスクを再生／記録する際には、まず、光ディスクを光ディスク装置に挿入する。挿入された光ディスクを再生／記録するためには、光ディスクの種類を判別する必要がある。これは、光ディスクの種類によって、データを再生／記録する方法が異なるからである。このため、光ディスク装置に挿入された光ディスクの種類を判別する様々な方法が提案されている。光ディスクの種類を判別する方法の一例としては、プッシュプル方式のトラッキング誤差信号振幅を所定の閾値と比較し、その比較結果に応じて光ディスクの種類を判別する方法がある。
【０００５】
ところで、光ディスクにレーザー光を照射したときの反射率は、光ディスクの種類によって異なる。また、同じ種類の光ディスクであっても、個々の光ディスクによって、反射率は必ずしも同一の値ではないことがある。反射率が異なると、光ディスクから得られる信号（例えば、トラッキング誤差信号）の振幅も異なってくる。
【０００６】
また、上述したように、近年では、ＨＤ ＤＶＤといった光ディスクが開発されている。従って、光ディスクの種類を判別するためには、ＣＤやＤＶＤといった光ディスクに加えて、ＨＤ ＤＶＤと称される光ディスクも判別する必要が生じている。
【０００７】
そこで、ＨＤ ＤＶＤの特性に着目し、ＣＤ、ＤＶＤ、ＨＤ ＤＶＤを判別する技術が提案されている（特許文献１参照）。具体的には、光ディスクの反射率、光ディスクから得られるＤＰＤ信号の振幅値、光ディスクのデータ領域から得られるプッシュプル信号の振幅値、光ディスクのリードイン領域から得られるプッシュプル信号の振幅値を夫々測定し、これら測定結果から光ディスクの種類を判別する技術である。
【特許文献１】特開２００８−４２２９
【発明の開示】
【発明が解決しようとする課題】
【０００８】
しかしながら、上記した光ディスクの種類判別技術をもってしても、光ディスクを適切に判別できない事態が予測されている。
【０００９】
上記したＨＤ ＤＶＤ規格では８／１２変調(ＥＴＭ : Eight to Twelve Modulation)が採用されている。これに対して、変調方式以外、ほぼＨＤ ＤＶＤ規格と同様のＣＢ ＨＤ（Ｃ−ＨＤ ＤＶＤ）規格が策定されつつある。このＣＢ ＨＤ規格では４／６変調(ＦＳＭ：Four to Six Modulation)が採用されている。つまり、上記した光ディスクの種類判別技術で、ＨＤ ＤＶＤ規格のディスクとＣＢ ＨＤ規格のディスクを判別するのは、極めて難しい。
【００１０】
本発明の目的は、変調方式が異なる情報記憶媒体を判別する技術を提供することにある。
【課題を解決するための手段】
【００１１】
この発明の一実施形態に係る媒体処理装置は、情報記憶媒体から信号を読み取る読取手段と、前記読取手段により読み取られた読取信号からフレーム同期を検出し、このフレーム同期及び第１の復調方式に基づき前記読取信号からデータＩＤを検出し、データＩＤの検出状況に基づき前記第１の復調方式が適切か否か判別し、前記第１の復調方式が不適切であるとの判別により前記フレーム同期及び第２の復調方式に基づき前記読取信号からデータＩＤを検出し、データＩＤの検出状況により前記第２の復調方式が適切か否か判別する判別手段と、前記判別手段による判別結果に基づき復調方式を決定し、決定された復調方式により情報記憶媒体に記録された信号を再生する再生手段と、を備えている。
【００１２】
この発明の一実施形態に係る媒体判別方法は、情報記憶媒体から信号を読み取り、前記読み取られた読取信号からフレーム同期を検出し、このフレーム同期及び第１の復調方式に基づき前記読取信号からデータＩＤを検出し、データＩＤの検出状況に基づき前記第１の復調方式が適切か否か判別し、前記第１の復調方式が不適切であるとの判別により前記フレーム同期及び第２の復調方式に基づき前記読取信号からデータＩＤを検出し、データＩＤの検出状況により前記第２の復調方式が適切か否か判別する。
【発明の効果】
【００１３】
本発明によれば、変調方式が異なる情報記憶媒体を判別する技術を提供できる。
【発明を実施するための最良の形態】
【００１４】
以下、図面を参照し、本発明の実施形態について説明する。
【００１５】
図１は、本発明の一実施形態に係る光ディスク装置（媒体処理装置）の概略構成を示すブロック図である。光ディスク装置は、ピックアップヘッド（ＰＵＨ）１１から出射される記録用に制御されたレーザー光を光ディスクの情報記録層に集光し、光ディスクに対して情報を記録する。また、光ディスク装置は、ピックアップヘッド（ＰＵＨ）１１から出射される再生用に制御されたレーザー光を光ディスクの情報記録層に集光し、光ディスクに記録された情報を再生する。具体的には、光ディスクに対して集光されたレーザー光が光ディスクから反射し、再び、ＰＵＨ１１の光学系を通過し、フォトディテクターで電気信号として検出される。
【００１６】
検出された電気信号は、プリアンプ１２で増幅され、信号処理回路１３に出力される。信号処理回路１３は、サーボ回路、アドレス信号処理回路、ＲＦ信号処理回路を含む。
【００１７】
サーボ回路では、フォーカス、トラッキング、チルト等のサーボ信号が生成され、各信号がそれぞれ、ＰＵＨ１１のフォーカス、トラッキング、チルトアクチュエータに出力される。
【００１８】
ＲＦ信号処理回路は、検出された信号のうち、主に和信号を処理することにより、記録されたユーザー情報等の情報を再生する。また、制御部１４の制御により、ＲＦ信号処理回路に対しては、ＥＴＭに対応した復調方式（ＥＴＭ復調方式）を設定したり、ＦＳＭに対応した復調方式（ＦＳＭ復調方式）を設定したりすることができる。また、ＲＦ信号処理回路は、検出された信号に含まれる同期信号を検出したり、さらに同期信号に含まれる特定パターン（１３Ｔ−３Ｔ）を検出したりして、フレーム同期を検出する。さらに、ＲＦ信号処理回路は、フレーム同期に基づきデータＩＤを検出する。
【００１９】
アドレス信号処理回路では、検出された信号を処理することにより、光ディスク上の記録位置を示す、物理アドレス情報を読み出し、制御部１４に出力する。制御部１４はこのアドレス情報を元に、所望の位置のユーザー情報等の情報を読み出したり、所望の位置にユーザー情報等の情報を記録したりする。この際、ユーザー情報は、波形発生回路１６を構成する記録信号処理回路で光ディスク記録に適したデータに変調される。さらに、波形発生回路１６は、入力された符号を元にレーザー発光波形を制御するための信号を生成し、ＬＤ駆動回路１５はこのレーザ発行波形制御信号に基づきＬＤ（レーザドライバ）を駆動し、これにより光ディスクに情報が記録される。
【００２０】
さらに、制御部１４は、信号処理回路１３による信号処理の結果に基づき、ディスクの種類を判別し、判別結果に基づき再生を制御する。このディスクの種類判別及び再生制御については後に詳しく説明する。
【００２１】
次に、図２〜図７を参照して、光ディスクに記録される物理セクタデータについて説明する。ここで説明する物理セクタデータは、ＨＤ ＤＶＤ規格及びＣＢ ＨＤ規格に対応した物理セクタデータである。両者の違いは、変調方式のみである。ＨＤ ＤＶＤ規格ではデータ変調方式に８／１２変調(ＥＴＭ : Eight to Twelve Modulation)が採用されており、ＣＢ ＨＤ規格ではデータ変調方式に４／６変調(ＦＳＭ：Four to Six Modulation)が採用されている。図２は、データフレームの構成の一例を示す図である。図３は、ＥＣＣブロックの構成の一例を示す図である。図４は、スクランブルされたフレームの配置の一例を示す図である。図５は、行インターリーブ後のＥＣＣブロックの一例を示す図である。図６Ａは、偶数番目の物理セクタデータの構成の一例を示す図である。図６Ｂは、奇数番目の物理セクタデータの構成の一例を示す図である。図７は、同期コードの一例を示す図である。
【００２２】
映像、音声等の記録データは、図６Ａ及び図６Ｂに示す物理セクタデータに変換されて、光ディスクに記録される。ここで、物理セクタデータの生成について説明する。まず、２０４８バイト単位の記録データに基づき、図２に示すデータフレームが複数生成される。一つのデータフレームは、２０４８バイトの記録データ（メインデータ）、データＩＤ、ＩＥＤ（データＩＤエラー検出コード）、ＲＳＶ、ＥＤＣ（エラー検出コード）を含む。データＩＤは、データフレームを識別する情報を含み、ＩＥＤはデータＩＤのエラーを検出するためのコードである。一つのデータフレームは、（１７２バイト＋１７２バイト）×６行により構成される。
【００２３】
続いて、３２個のデータフレームに基づき、図３に示す一つのＥＣＣブロックが生成される。一つのＥＣＣブロックは、３２個のデータフレーム、ＰＩ（インナーパリティ）、ＰＯ（アウターパリティ）を含む。エラー訂正コードの一種であるＰＩは、データフレームを列方向（横方向）に見て、エラーを検出し検出したエラーを訂正するためのパリティである。また、エラー訂正コードの一種であるＰＯは、データフレームを行方向（縦方向）に見て、エラーを検出し検出したエラーを訂正するためのパリティである。一つのＥＣＣブロックは、（１７２バイトのメインデータ＋１０バイトのＰＩ＋１７２バイトのメインデータ＋１０バイトのＰＩ）×（１９２行のメインデータ＋１６行のＰＯ）により構成される。
【００２４】
続いて、ＥＣＣブロック内のデータフレームがスクランブルされ、図４に示すスクランブルされたフレームが生成される。さらに、スクランブルされたフレームに対して行インターリーブが適用され、図５に示す行インターリーブ後のＥＣＣブロックが生成される。さらに、行インターリーブ後のＥＣＣブロックから、図６Ａに示す１６個の偶数番目の物理セクタデータと、図６Ｂに示す１６個の奇数番目の物理セクタデータとが生成される。
【００２５】
図６Ａ及び図６Ｂに示すように、各物理セクタデータは、同期コード（ＳＹ０、ＳＹ１、ＳＹ２、ＳＹ３）を含む。同期コードは、図７に示す通りであり、１３Ｔ−３Ｔパターン（００００００００００００１００１）を含む。
【００２６】
次に、上記した光ディスク装置による光ディスクの種別判定について説明する。
【００２７】
上記したように、ＨＤ ＤＶＤ規格とＣＢ ＨＤ規格の違いは変調方式のみであり、それ以外の物理パラメータは全く同じである。そのため、ディスク形状や反射率（信号波形）等で、ＨＤ ＤＶＤ規格に準拠した光ディスクなのか或いはＣＢ ＨＤ規格に準拠した光ディスクなのかを判別するのは極めて困難である。
【００２８】
ＨＤ ＤＶＤ規格やＣＢ ＨＤ規格のファミリーのディスクのＢＣＡ（バーストカッティングエリア）には、ディスクタイプが記録されている。通常、このディスクタイプを読み取ることができれば、ＨＤ ＤＶＤ規格に準拠した光ディスクなのか或いはＣＢ ＨＤ規格に準拠した光ディスクなのかを判別することができる。
【００２９】
ところが、コストダウンされた廉価型光ディスクドライブは、光ディスク挿入時にピックアップの絶対位置を判別出来ないものがある。このような廉価型光ディスクドライブは、光ディスク挿入時にＢＣＡに記録されたデータを読み取ることができない。よって、このような廉価型光ディスクドライブは、光ディスク挿入時にＢＣＡに記録されたデータを読み取らずに、データ領域に記録されたデータに対応するＲＦ信号を再生し物理アドレスを読み半径位置を算出し、そこで初めて、ＢＣＡにピックアップを移動することができる。
【００３０】
しかしながら、物理アドレスを読み取るためには適切な復調が必要となる。つまり、ＨＤ ＤＶＤ規格に対応した光ディスクなら８／１２変調に対応した復調（ＥＴＭ復調方式）が必要で、ＣＢ ＨＤ規格に対応した光ディスクなら４／６変調に対応した復調（ＦＳＭ復調方式）が必要となる。
【００３１】
上記のような廉価型光ディスクドライブでは、ＨＤ ＤＶＤ規格に準拠した光ディスクなのか或いはＣＢ ＨＤ規格に準拠した光ディスクなのか判別するために、例えば、光ディスク再生時にＥＴＭ復調回路とＦＳＭ復調回路の両者を同時に動かす方式、あるいはどちらか一方の復調回路で読めない場合に他方の復調回路に切り換える方式が考えられる。
【００３２】
ＥＴＭ復調回路とＦＳＭ復調回路の両者を同時に動かす方式の場合、光ディスクドライブがＥＴＭ復調回路とＦＳＭ復調回路の両者を持つ必要があり、光ディスクドライブの回路規模や消費電力が大きくなってしまう。復調回路を切り換える方式は、ＲＦ信号品位が低くてデータが読み取れないのか、或いは変調方式が異なるから読み取れないのか区別が付け難く、ディスク判別に時間がかかってしまう。
【００３３】
そこで、本実施形態で説明する第１及び第２の光ディスク種別判定処理では、ＥＴＭが適用された記録データに含まれる同期コード、及びＦＳＭが適用された記録データに含まれる同期コードが、共に、１３Ｔ−３Ｔパターンを含んでいることを利用し、光ディスクの種別を判定する。
【００３４】
例えば、光ディスク装置の信号処理回路に含まれるＲＦ信号処理回路をＥＴＭ復調方式に設定し、ＥＴＭにより変調されたデータが記録された光ディスク（ＥＴＭディスク）を再生した場合には、当然、正しく同期コードが検出され、同期コードに含まれる１３Ｔ−３Ｔパターンも検出され、フレーム同期を検出することができる。ところが、光ディスク装置の信号処理回路に含まれるＲＦ信号処理回路をＥＴＭ復調方式に設定し、ＦＳＭにより変調されたデータが記録された光ディスク（ＦＳＭディスク）を再生した場合でも、ある程度品位の良いＲＦ信号であれば同期コードに含まれる１３Ｔ−３Ｔパターンが検出され、フレーム同期を検出することができる。このことは、サーボやリードチャネルが正常に動いていることを意味する。そのため、フレーム同期を検出したのにもかかわらず、復調データに含まれるＩＥＤ、ＥＤＣにより多数のエラーが検出された場合（基準値を超えるエラーが検出された場合）は、適切な復調方式が設定されていないことが予想できる。また、復調データに含まれるＰＩにより多数のエラーが検出された場合も同様に、適切な復調方式が設定されていないことが予想できる。
【００３５】
図８は、ＩＥＤによるデータＩＤのエラー検出結果に基づく第１の光ディスク種別判定処理を示すフローチャートである。第１の光ディスク種別判定処理の概要を説明すると、ＥＴＭ復調方式及びＦＳＭ復調方式のうちの一方の復調方式（例えばＥＴＭ復調方式）を設定し、ＲＦ信号を再生し、フレーム同期が検出されれば、ＩＥＤによりデータＩＤの読み取り率を検出し、検出されたデータＩＤの読み取り率に基づき、設定した復調方式が適切か否かを判定する。データＩＤがある程度正しく読み取れていれば（データＩＤの読み取り率が基準値より高ければ）、設定された復調方式が適切であると判別する。この場合、適切であると判別された復調方式に基づき、情報記憶媒体に記録された記録データ（メインデータ）を再生する。逆に、データＩＤがある程度正しく読み取れていなければ（データＩＤの読み取り率が基準値以下）、設定された復調方式が不適切であると判別する。
【００３６】
設定された復調方式が不適切であると判別された場合、ＥＴＭ復調方式及びＦＳＭ復調方式のうちの他方の復調方式（例えばＦＳＭ復調方式）を設定し、ＲＦ信号を再生し、フレーム同期が検出されれば、ＩＥＤによりデータＩＤの読み取り率を検出し、検出されたデータＩＤの読み取り率に基づき、設定した復調方式が適切か否かを判定する。データＩＤがある程度正しく読み取れていれば（データＩＤの読み取り率が基準値より高ければ）、設定された復調方式が適切であると判別する。この場合、適切であると判別された復調方式に基づき、情報記憶媒体に記録された記録データ（メインデータ）を再生する。逆に、データＩＤがある程度正しく読み取れていなければ（データＩＤの読み取り率が基準値以下）、設定された復調方式が不適切であると判別する。
【００３７】
次に、図８に示すフローチャート沿って、第１の光ディスク種別判定処理について説明する。
【００３８】
最初に、光ディスク装置の制御部１４は、ディスク物理判別に基づき、セットされている光ディスクがＣＤ、ＤＶＤ、ＨＤ ＤＶＤ系（ＨＤ ＤＶＤ／ＣＢ ＨＤ）のどのタイプの光ディスクに該当するか判別する（ＳＴ１０１〜ＳＴ１０６）。具体的には、信号処理回路１３で処理された信号からディスクの反射率等を検出し、どのタイプの光ディスクに該当するか判別する。
【００３９】
その結果、ＨＤ ＤＶＤ系の光ディスクに該当することが判明すると（ＳＴ１０５、ＹＥＳ）、例えば、最初に、制御部１４は、信号処理回路１３のＲＦ信号処理回路に対してＥＴＭ復調方式を設定する（ＳＴ１０７）。続いて、ＲＦ信号処理回路によりＲＦ信号を再生し、フレーム同期が検出されれば（ＳＴ１０８、ＹＥＳ）、制御部１４は、ＩＥＤによりデータＩＤの読み取り率を検出し、検出されたデータＩＤの読み取り率に基づき、設定した復調方式が適切か否かを判定する。データＩＤがある程度正しく読み取れていれば（ＳＴ１１０、ＹＥＳ）、設定された復調方式が適切であると判別する。つまり、この場合、ＥＴＭ復調方式が適切な復調方式であると判別され、処理対象の光ディスクはＨＤ ＤＶＤ（ＥＴＭディスク）であると判別され（ＳＴ１１１）、ＥＴＭ復調方式に基づきＲＦ信号処理回路が光ディスクに記録された記録データ（メインデータ）を再生する。なお、フレーム同期が検出されなければ（ＳＴ１０８、ＮＯ）、エラー処理又はリトライ処理へ移行する（ＳＴ１０９）。
【００４０】
逆に、データＩＤがある程度正しく読み取れていなければ（ＳＴ１１０、ＮＯ）、設定された復調方式が不適切であると判別する。この場合、制御部１４は、信号処理回路１３のＲＦ信号処理回路に対してＦＳＭ復調方式を設定する（ＳＴ１１２）。続いて、ＲＦ信号処理回路によりＲＦ信号を再生し、制御部１４は、ＩＥＤによりデータＩＤの読み取り率を検出し、検出されたデータＩＤの読み取り率に基づき、設定した復調方式が適切か否かを判定する。データＩＤがある程度正しく読み取れていれば（ＳＴ１１３、ＹＥＳ）、設定された復調方式が適切であると判別する。つまり、この場合、ＦＳＭ復調方式が適切な復調方式であると判別され、処理対象の光ディスクはＣＢ ＤＶＤ（ＦＳＭディスク）であると判別され（ＳＴ１１４）、ＦＳＭ復調方式に基づき、ＲＦ信号処理回路が光ディスクに記録された記録データ（メインデータ）を再生する。なお、データＩＤがある程度正しく読み取れなければ（ＳＴ１１３、ＮＯ）、エラー処理又はリトライ処理へ移行する（ＳＴ１１５）。
【００４１】
なお、上記説明では、最初にＥＴＭ復調方式を設定し、次にＦＳＭ復調方式を設定するケースについて説明したが、本発明はこれに限定されるものではない。例えば、最初に、ＦＳＭ復調方式を設定し、次にＥＴＭ復調方式を設定してもよい。
【００４２】
図９は、ＰＩによるメインデータのエラー検出結果に基づく第２の光ディスク種別判定処理を示すフローチャートである。第２の光ディスク種別判定処理の概要を説明すると、ＥＴＭ復調方式及びＦＳＭ復調方式のうちの一方の復調方式（例えばＥＴＭ復調方式）を設定し、ＲＦ信号を再生し、フレーム同期が検出されれば、ＰＩによりメインデータに含まれるエラーを検出し、エラーの検出状況に基づき、設定した復調方式が適切か否かを判定する。具体的には、ＰＩシンドローム（Syndrome）チェックを行い判断する。復調結果が正しくデコード出来た場合は、ＰＩシンドロームが”０”になる頻度が高い。逆に正しくデコード出来ない場合は、全てのＰＩシンドロームが”０”にならないので、シンドローム≠０の場合は復調ＮＧと判定する。メインデータがある程度正しく読み取れていれば（メインデータからのエラー検出状況が基準値より低ければ）、設定された復調方式が適切であると判別する。この場合、適切であると判別された復調方式に基づき、情報記憶媒体に記録されたメインデータを再生する。逆に、メインデータがある程度正しく読み取れていなければ（メインデータからのエラー検出状況が基準値以上）、設定された復調方式が不適切であると判別する。
【００４３】
設定された復調方式が不適切であると判別された場合、ＥＴＭ復調方式及びＦＳＭ復調方式のうちの他方の復調方式（例えばＦＳＭ復調方式）を設定し、ＲＦ信号を再生し、再びＰＩによりメインデータに含まれるエラーを検出し、エラー検出状況に基づき、設定した復調方式が適切か否かを判定する。メインデータがある程度正しく読み取れていれば（メインデータからのエラー検出状況が基準値より低ければ）、設定された復調方式が適切であると判別する。この場合、適切であると判別された復調方式に基づき、情報記憶媒体に記録されたメインデータを再生する。逆に、メインデータがある程度正しく読み取れていなければ（メインデータからのエラー検出状況が基準値以上）、設定された復調方式が不適切であると判別する。
【００４４】
メインデータのエラーを検出するためのパリティコードであるＰＩ、ＰＯのうちのＰＩを利用している理由は、図３に示すように、ＰＩ（１０バイト）は、メインデータのうちの１／２ライン（１７２バイト）を読み出した時点で、エラーをチェックすることができるためである。これに対してＰＯ（１６行）は、メインデータのうちの大部分を読み出さないと、エラーをチェックすることができない。よって、ＰＩを利用した方が、ディスク判別時間を短縮することができる。なお、本発明は、これに限定されるものではなく、ＰＩとＰＯの両者を利用するようにしてもよいし、ＰＯだけを利用するようにしてもよい。
【００４５】
図９に示すフローチャートは、第２の光ディスク種別判定処理を説明するフローチャートであるが、図９に示すフローチャートのＳＴ２１０及びＳＴ２１３以外の処理は、図８に示すフローチャートと同じである。図９に示すフローチャートのＳＴ２１０及びＳＴ２１３の説明は上記の通りであるため、図９のフローチャートに沿った説明は省略する。
【００４６】
上記したように、本発明の一実施形態に係る光ディスク装置は、ＥＴＭ復調回路とＦＳＭ復調回路の両者を備えてなくとも、素早く確実にＨＤ ＤＶＤ（ＥＴＭディスク）とＣＢ ＤＶＤ（ＦＭＳディスク）を判別し、処理することができる。言い換えれば、上記した第１又は第２の光ディスク種別判定処理を、上記した廉価型光ディスクドライブに適用することにより、廉価型光ディスクドライブでも、素早く確実にＨＤ ＤＶＤ（ＥＴＭディスク）とＣＢ ＤＶＤ（ＦＭＳディスク）を判別し、処理することができる。
【００４７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４８】
【図１】本発明の一実施形態に係る光ディスク装置（媒体処理装置）の概略構成を示すブロック図である。
【図２】データフレームの構成の一例を示す図である。
【図３】ＥＣＣブロックの構成の一例を示す図である。
【図４】スクランブルされたフレームの配置の一例を示す図である。
【図５】行インターリーブ後のＥＣＣブロックの一例を示す図である。
【図６Ａ】偶数番目の物理セクタデータの構成の一例を示す図である。
【図６Ｂ】奇数番目の物理セクタデータの構成の一例を示す図である。
【図７】同期コードの一例を示す図である。
【図８】ＩＥＤによるデータＩＤのエラー検出結果に基づく第１の光ディスク種別判定処理を示すフローチャートである。
【図９】ＰＩによるメインデータのエラー検出結果に基づく第２の光ディスク種別判定処理を示すフローチャートである。
【符号の説明】
【００４９】
１１…ＰＵＨ、１２…プリアンプ、１３…信号処理回路、１４…制御部、１５…ＬＤ駆動回路、１６…波形発生回路、１７…メモリ
【図１】
2009289301.tif 000003
【図２】
2009289301.tif 000004
【図３】
2009289301.tif 000005
【図４】
2009289301.tif 000006
【図５】
2009289301.tif 000007
【図６Ａ】
2009289301.tif 000008
【図６Ｂ】
2009289301.tif 000009
【図７】
2009289301.tif 000010
【図８】
2009289301.tif 000011
【図９】
2009289301.tif 000012